(57)【特許請求の範囲】
【請求項１】
基板を備えている容量性タッチスクリーンであって、前記基板は第１表面及び第２表面を備えており、
前記タッチスクリーンはさらに、
前記基板の前記第１表面上に形成された第１パターン及び第１外部配線であって、前記第１パターンは前記基板の前記第１表面の部分領域を覆い、前記第１外部配線は第１方向に沿った前記第１パターンの外部配線であり、及び前記第１外部配線は前記基板の前記第１表面の前記第１パターンを除く残りの領域内に形成されている、第１パターン及び第１外部配線と、
前記基板の前記第２表面上に形成された第２パターン及び第２外部配線であって、前記第２パターンは前記基板の前記第２表面の部分領域を覆い、前記第２外部配線は前記第１方向に沿った前記第２パターンの外部配線であり、前記第２外部配線は前記基板の前記第２表面の前記第２パターンを除く残りの領域内に形成されている、第２パターン及び第２外部配線と、
を備えており、
前記第１表面及び前記第２表面は前記基板の二つの対向する表面であり、及び前記第２パターンの前記第１表面上の垂直投影は、前記第１表面の前記第１パターンを除く少なくとも前記残りの領域を覆っている、容量性タッチスクリーン。
【請求項２】
前記第１パターンは、前記基板の前記第１表面の部分領域を覆っており、
前記第１パターンは、前記基板の第１側端から延在を開始し、前記基板の前記第１表面の前記部分領域を覆っており、
前記第２パターンは、前記基板の前記第２表面の部分領域を覆っており、
前記第２パターンは、前記基板の第２側端から延在を開始し、前記基板の前記第２表面の前記部分領域を覆っており、
前記第１側端及び前記第２側端は、前記基板の二つの対向する側端である、請求項１に記載の容量性タッチスクリーン。
【請求項３】
前記第１表面の前記部分領域は、前記基板の前記第１表面の面積の半分から３分の２を占めている領域であり、
前記第２表面の前記部分領域は、前記基板の前記第２表面の面積の半分から３分の２を占めている領域である、請求項１または２に記載の容量性タッチスクリーン。
【請求項４】
前記第１パターンは、水平のスライド条と垂直のスライド条とを備えており、前記水平のスライド条及び前記垂直のスライド条は交差する様式で分布されており、並びに前記第２パターンは、水平のスライド条と垂直のスライド条とを備えており、前記水平のスライド条及び前記垂直のスライド条は交差する様式で分布されている、請求項１から３のいずれか一項に記載の容量性タッチスクリーン。
【請求項５】
第１方向に沿った前記第１パターンの前記外部配線は、前記第１パターンの前記水平方向に沿った前記スライド条の外部配線を備えており、及び
第１方向に沿った前記第２パターンの前記外部配線は、前記第２パターンの前記水平方向に沿った前記スライド条の外部配線を備えている、請求項４に記載の容量性タッチスクリーン。
【請求項６】
前記第１方向に沿った前記第１パターンの前記外部配線及び前記第１方向に沿った前記第２パターンの前記外部配線は共に、透明材料で形成されている請求項１から５のいずれか一項に記載の容量性タッチスクリーン。
【請求項７】
タッチスクリーンを備えている端末であって、
前記タッチスクリーンは基板を備えており、前記基板は第１表面及び第２表面を備えており、前記タッチスクリーンはさらに、
前記基板の前記第１表面上に形成された第１パターン及び第１外部配線であって、前記第１パターンは前記基板の前記第１表面の部分領域を覆い、前記第１外部配線は第１方向に沿った前記第１パターンの外部配線であり、及び前記第１外部配線は前記基板の前記第１表面の前記第１パターンを除く残りの領域内に形成されている、第１パターン及び第１外部配線と、
前記基板の前記第２表面上に形成された第２パターン及び第２外部配線であって、前記第２パターンは前記基板の前記第２表面の部分領域を覆い、前記第２外部配線は前記第１方向に沿った前記第２パターンの外部配線であり、及び前記第２外部配線は前記基板の前記第２表面の前記第２パターンを除く残りの領域内に形成されている、第２パターン及び第２外部配線と、
を備えており、
前記第１表面及び前記第２表面は前記基板の二つの対向する表面であり、及び前記第２パターンの前記第１表面上の垂直投影は、前記第１表面の前記第１パターンを除く少なくとも前記残りの領域を覆っている、端末。
【請求項８】
前記第１パターンは、前記基板の前記第１表面の部分領域を覆っており、
前記第１パターンは、前記基板の第１側端から延在し、前記基板の前記第１表面の前記部分領域を覆っており、
前記第２パターンは、前記基板の前記第２表面の部分領域を覆っており、
前記第２パターンは、前記基板の第２側端から延在し、前記基板の前記第２表面の前記部分領域を覆っており、
前記第１側端及び前記第２側端は、前記基板の二つの対向する側端である、請求項７に記載の端末。
【請求項９】
タッチスクリーンを備えている端末であって、
前記タッチスクリーンは基板を備えており、前記基板は第１表面及び第２表面を備えており、前記タッチスクリーンはさらに、
前記基板の前記第１表面上に形成された第１パターン及び前記基板の前記第２表面上に形成された第２パターンであって、前記第１パターンは前記基板の前記第１表面の部分領域を覆っており、前記第２パターンは前記基板の前記第２表面の部分領域を覆っており、前記第１表面及び前記第２表面は前記基板の二つの対向する表面であり、及び前記第２パターンの前記第１表面上の垂直投影は、前記第１表面の前記第１パターンを除く少なくとも残りの領域を覆っており、
前記端末はさらに、
前記第１パターンを走査することにより第１検出座標を取得するように構成された第１走査ユニットと、
前記第２パターンを走査することにより第２検出座標を取得するように構成された第２走査ユニットと、及び
前記第１検出座標及び前記第２検出座標に従って検出座標を取得するように構成された合成ユニットと、
を備えている、端末。
【請求項１０】
前記第１走査ユニットは、前記第１パターン全体を走査することにより前記第１検出座標を取得するように構成され、前記第２走査ユニットは、前記第２パターン全体を走査することにより前記第２検出座標を取得するように構成され、
前記合成ユニットは、
前記第１パターンの重複領域及び非重複領域に従って、前記第１検出座標を第１重複領域検出座標及び第１非重複領域検出座標に分類するように構成された第１検出座標分類ユニットであって、前記第１パターンの前記重複領域は前記第２パターンの前記第１パターン上への前記垂直投影と重複する領域を参照しており、前記第１パターンの前記非重複領域は前記第２パターンの前記第１パターン上への前記垂直投影と重複しない領域を参照している、第１検出座標分類ユニットと、
前記第２パターンの重複領域及び非重複領域に従って、前記第２検出座標を第２重複領域検出座標及び第２非重複領域検出座標に分類するように構成された第２検出座標分類ユニットであって、前記第２パターンの前記重複領域は前記第１パターンの前記第２パターン上への垂直投影と重複する領域を参照しており、前記第２パターンの前記非重複領域は前記第１パターンの前記第２パターン上への前記垂直投影と重複しない領域を参照している、第２検出座標分類ユニットと、
重複領域検出座標を取得するために、前記第１重複領域検出座標及び前記第２重複領域検出座標で計算を実行するように構成された、重複領域検出座標計算ユニットと、
前記検出座標を取得するために前記第１非重複領域検出座標、前記第２非重複領域検出座標、及び前記重複領域検出座標を合成するように構成された第１合成ユニットと、
を備えている、請求項９に記載の端末。
【請求項１１】
前記第１走査ユニットは、前記第１パターン全体を走査することにより前記第１検出座標を取得するように構成されており、
前記第２走査ユニットは、前記第２パターンの補完領域を走査することにより前記第２検出座標を取得するように構成されており、前記補完領域は、前記第２パターン上にあり、前記第１パターンの前記第２パターン上の垂直投影と重複しない領域を参照しており、及び
前記合成ユニットは、前記検出座標を取得するために前記第１検出座標及び前記第２検出座標を合成するように構成されている、請求項９に記載の端末。
【発明の詳細な説明】
【技術分野】
【０００１】
この出願は、２０１２年５月４日に中国特許庁に提出された中国特許出願公開第２０１２１０１３７２１２．５「容量性タッチスクリーン及び端末」を優先権として主張し、その全体は参考としてここに組み込まれる。
【０００２】
本発明の実施形態は、通信技術の分野に関連しており、特に、広帯域移動装置に関連している。
【背景技術】
【０００３】
技術の発達と共に、容量性タッチスクリーン技術の装置は知的携帯機器まで普及している。図１に示すように、液晶装置（ＬＣＤ、Ｌｉｑｕｉｄ  Ｃｒｙｓｔａｌ  Ｄｉｓｐｌａｙ）７上のタッチスクリーンの容量性検出装置は、透明で、導電性材料の層、例えば、インジウムスズ酸化物（ＩＴＯ、Ｉｎｄｉｕｍ  Ｔｉｎ  Ｏｘｉｄｅ）の層を基板６上にメッキし、タッチ集積回路（ＩＣ、Ｉｎｔｅｇｒａｔｅｄ  Ｃｉｒｃｕｉｔ）の要求に従って対応する導電パターンを形成するように層をエッチングする。パターンは一般的にＩＴＯ材料、すなわち、ＩＴＯパターンを用いる。従来技術において、各々の導電パターンは一般的に、水平のスライド条と垂直のスライド条を含んでおり、水平のスライド条または水平電極（Ｘ電極）は、水平方向（Ｘ方向）にある透明なＩＴＯのパターン１であり、垂直のスライド条、または垂直電極（Ｙ電極）は、垂直方向（Ｙ方向）にある透明なＩＴＯのパターン２である。Ｘ電極及びＹ電極は、階層的関係に限られておらず、カバーレンズ４（Ｃｏｖｅｒ  Ｌｅｎｓ）は、光学的に透明な接着剤５（ＯＣＡ、Ｏｐｔｉｃａｌｌｙ  Ｃｌｅａｒ  Ａｄｈｅｓｉｖｅ）を使用することにより、形成されたＩＴＯパターンを有する基板６に固着させていることに注意すべきである。容量性タッチスクリーンのタッチ検出の原理は、指がＩＴＯパターンを覆っているカバーレンズ４の表面をタッチするとき、タッチＩＣは、検出ＩＴＯパターン上で検出された容量の変化のある電極の座標を用いることにより、指によってタッチされた場所を決定する。
【０００４】
従来技術の設計において、図２に示すように、白地の図形はＸ電極１を示しており、斜線を含む図形はＹ電極２を示している。Ｘ電極１は、Ｘ方向にある引き込み線１１を用いて導電性パターン全体の二辺上で配線された後でタッチＩＣに接続され、Ｙ電極２は、Ｙ方向にある引き込み線２１を用いて導電性パターン全体の底辺上で配線された後でタッチＩＣに接続される。
【０００５】
タッチ機能が無く、且つタッチ機能を提供するパターン領域の外側にある外部配線領域が含まれる必要がある。それ故、既存の設計において、図３及び図４に示されるように、デバイスのタッチスクリーン領域の外側の境界領域は、外部配線のために確保される必要があり、これは電流容量タッチスクリーンの幅広い境界の問題を導く。最大化されたタッチスクリーンの表示領域と共に、軽くて薄い端末の傾向のため、幅の収縮は特に重要である。しかしながら、現在の技術的解法において、外部配線領域はタッチ検出をする能力が無いので、外部配線領域の幅がどんなに収縮されようとも、境界はその存在を除去することはできず、これは端末幅を収縮させる傾向と対立する。
【発明の概要】
【課題を解決するための手段】
【０００６】
本発明の実施形態は、外部配線領域を覆うように構成された境界の配置の必要性を省くことができる容量性タッチスクリーン及び端末を提供し、それ故端末境界の幅を減少させている。
【０００７】
前述の技術的問題を解決するために、本発明の実施形態は、以下の技術的解法を使用している。
【０００８】
本発明の実施形態は、基板を含む容量性タッチスクリーンを提供し、基板は第１表面及び第２表面を含み、タッチスクリーンはさらに、基板の第１表面上に形成された第１パターン及び第１外部配線であって、第１パターンは基板の第１表面の部分領域を覆い、第１外部配線は第１方向に沿った第１パターンの外部配線であり、及び第１外部配線は基板の第１表面の第１パターンを除く残りの領域内に形成されている、第１パターン及び第１外部配線と；基板の第２表面上に形成された第２パターン及び第２外部配線であって、第２パターンは基板の第２表面の部分領域を覆い、第２外部配線は第１方向に沿った第２パターンの外部配線であり、及び第２外部配線は基板の第２表面の第２パターンを除く残りの領域内に形成されている、第２パターン及び第２外部配線と；を含み、第１表面及び第２表面は基板の二つの対向する表面であり、並びに第２パターンの第１表面上の垂直投影は、第１表面の第１パターンを除く少なくとも残りの領域を覆う。
【０００９】
本発明の実施形態はさらに、タッチスクリーンを含む端末を提供し、タッチスクリーンは上で説明された容量性タッチスクリーンである。
【００１０】
本発明の実施形態はさらに、タッチスクリーンを含む端末を提供し、タッチスクリーンは基板を含み、基板は第１表面及び第２表面を含み、タッチスクリーンはさらに、基板の第１表面上に形成された第１パターン及び基板の第２表面上に形成された第２パターンを含み、第１パターンは基板の第１表面の部分領域を覆い、第２パターンは基板の第２表面の部分領域を覆い、第１表面及び第２表面は基板の二つの対向する表面であり、第２パターンの第１表面への垂直投影は、第１表面の第１パターンを除く少なくとも残りの領域を覆い、端末はさらに、第１パターンの走査により第１検出座標を取得するように構成された第１走査ユニットと、第２パターンの走査により第２検出座標を取得するように構成された第２走査ユニットと、及び第１検出座標及び第２検出座標に従って検出座標を取得するように構成された合成ユニットと、を含む。
【００１１】
第１パターンは基板の第１表面上に形成され、第２パターンは基板の第２表面上に形成され、導電パターンの外側の領域は外部配線のために基板の各表面上で別々に確保し得ることが見られる。第１表面上の第１パターン及び第２表面上の第２パターンは、相互補完的な関係にあり、基板の全面タッチスクリーン検出が二つの表面上の導電パターンの連携により完成され得る。この方法において、現行の端末内に存在する境界は除去され、それ故端末境界の幅を減少させる。
【図面の簡単な説明】
【００１２】
本発明の実施形態または従来技術における技術的解法より明確に説明するために、以下では実施形態を説明するために必要とされる添付の図面を導入する。以下の説明における添付の図面は、本発明のいくつかの実施形態を単に示しているだけであり、及び当業者は、創造的活動なしにこれらの添付の図面から他の図面を導くことも依然として可能である。
【００１３】
【図１】従来技術におけるタッチスクリーンの容量性検出デバイスの層構造の概略断面図である。
【図２】従来技術におけるタッチスクリーンの容量性検出デバイスのＩＴＯパターン、及び容量性検出デバイスとタッチＩＣとの間の配線を示す概略図である。
【図３】従来技術におけるカバーレンズとタッチスクリーンの境界とを適合した概略構造図である。
【図４】従来技術におけるＩＴＯパターンと容量性検出デバイスの境界とを適合した概略構造図である。
【図５】本発明の実施形態による容量性タッチスクリーンの層構造の概略断面図である。
【図６】本発明の実施形態による容量性タッチスクリーンの第１表面の概略図である。
【図７】本発明の実施形態による容量性タッチスクリーンの第２表面の概略図である。
【図８】本発明の実施形態による容量性タッチスクリーンを端末へ適用する技術的効果の概略図である。
【図９】本発明の実施形態４による端末の概略構造図である。
【発明を実施するための形態】
【００１４】
以下では、本発明の実施形態における添付の図面を参照しながら、本発明の実施形態における技術的解法を明確かつ完全に説明する。明らかなように、説明される実施形態は、本発明の全ての実施形態のうちの一部にすぎない。本発明の実施形態に基づいて、創造的活動なく当業者によって得られる全ての実施形態は、本発明の保護範囲内にある。
【００１５】
本発明の実施形態は、外部配線領域を覆うように構成された境界を配置せずにタッチスクリーンのタッチ性能を保証することができ、それ故端末境界の幅を減らすことのできる容量性タッチスクリーン及び端末を提供する。
【００１６】
［実施形態１］
本発明の実施形態１は、容量性タッチスクリーンを提供し、図５は、本発明の実施形態１で提供される技術的解法の実装方法を示している。図５から図７を参照すると、容量性タッチスクリーンは、第１表面及び第２表面を含む基板６を含む。タッチスクリーンはさらに、
基板の第１表面上に形成された第１パターン８及び第１外部配線８１であって、第１パターンは基板の第１表面の部分領域を覆い、第１外部配線は第１方向に沿った第１パターンの外部配線であり、及び第１外部配線は基板の第１表面の第１パターンを除く残りの領域に形成されている、第１パターン８及び第１外部配線８１と、
基板の第２表面上に形成された第２パターン９及び第２外部配線９１であって、第２パターンは基板の第２表面の部分領域を覆い、第２外部配線は第１方向に沿った第２パターンの外部配線であり、及び第２外部配線は基板の第２表面の第２パターンを除く残りの領域に形成されている、第２パターン９及び第２外部配線９１と、
を含む。
【００１７】
第１パターン８及び第２パターン９は導電パターンであり、すなわち、導電材料により形成されたパターンである。ディスプレイ効果を保証するために、導電材料はインジウムスズ酸化物（ＩＴＯ、Ｉｎｄｉｕｍ  Ｔｉｎ  Ｏｘｉｄｅ）であり得る。第１外部配線８１及び第２外部配線９１は透明材料によって形成されている。好ましくは、外部配線の材料は、インジウムスズ酸化物（ＩＴＯ、Ｉｎｄｉｕｍ  Ｔｉｎ  Ｏｘｉｄｅ）材料であり得る。
【００１８】
第１表面及び第２表面は、基板の二つの対向する表面であり、第２パターンの第１表面上への垂直投影は、第１パターンを除く、第１表面の少なくとも残りの領域を覆う。
【００１９】
第１パターンは基板の第１表面上に形成されており、第２パターンは基板の第２表面上に形成されており、導電パターン外側の領域は、外側配線のために基板の各表面上に別々に用意されている。第１表面上の第１パターン及び第２表面上の第２パターンは、相互補完的な関係にあり、基板全体のタッチスクリーン検出は二つの表面上の導電パターンの連携により達成される。この方法において、現行の端末に存在する境界は除去され、それ故端末境界の幅を減少させる。
【００２０】
［実施形態２］
本発明の実施形態２は、容量性タッチスクリーンを提供し、実施形態１で提供される技術的解法の具体的な実装方法であり、図５は実施形態２において提供された容量性タッチスクリーンの概略断面図である。容量性タッチスクリーンは基板６を含み、カバーレンズ４はタッチスクリーンの基板の外側に配置されており、７はディスプレイであり、ディスプレイは液晶ディスプレイ（ＬＣＤ、Ｌｉｑｕｉｄ  Ｃｒｙｓｔａｌ  Ｄｉｓｐｌａｙ）、発光ダイオード（Ｌｉｇｈｔ  Ｅｍｉｔｔｉｎｇ  Ｄｉｏｄｅ、ＬＥＤ）ディスプレイ、または他の種類のディスプレイであってもよく、本発明の実施形態において制限されていない。
【００２１】
本発明の実施形態２は、実施形態において提供されるタッチスクリーンを主に説明している。図５に示されるように、基板６の第１表面は基板の上部表面であり、基板６の第２表面は基板の下部表面である。好ましくは、第１パターンは基板の第１側端から延在が始まり、基板の第１表面の部分領域を覆い、及び第２パターンは基板の第２側端から延在が始まり、基板の第２表面の部分領域を覆い、第１側端と第２側端は基板の二つの対向する側端である。本発明の実施形態２において、第１側端は基板の右側端であり、第２側端は基板の左側端であり、第１パターン８は基板６の上部表面上に形成され、第１パターン８は基板６の上部表面の右側端から延在が始まり、基板の上部表面の部分領域を覆い、第１パターンを除く残りの領域は、第１方向において第１パターン８の配線、すなわち第１外部配線８１の導出のために使用される。第２パターン９は基板６の下部表面上に形成され、第２パターン９は基板６の下部表面の左側端から延在が始まり、基板の下部表面の部分領域を覆い、第２パターンを除く残りの領域は、第１方向において第２パターン９の配線、すなわち第２外部配線９１の導出のために使用される。
【００２２】
詳細な説明が以下に提供される。基板の第１表面は図６に示されており、第１パターン８は基板の第１表面上に形成され、第１パターン８は水平（すなわち、Ｘ方向にある）スライド条及び垂直（すなわち、Ｙ方向にある）スライド条を含む。説明を簡単にするために、図６において、白地の図形は水平スライド条を示しており、斜線を含む図形は垂直スライド条を示している。この例において、第１方向は水平方向、すなわち、Ｘ方向として設定される。第１外部配線８１は、第１パターン８の水平方向にあるスライド条の外部配線であり、基板の第１表面の第１パターン８を除く残りの領域に形成されている。本発明の実施形態において、水平方向にある全ての外部配線は、導電パターンの外部配線工程を使用することにより第１パターン８の左側面上に配置され得る。
【００２３】
同様に、基板の第２表面は図７に示されており、第２パターン９は基板の第２表面上に形成され、第２パターン９は水平（すなわち、Ｘ方向にある）スライド条及び垂直（すなわち、Ｙ方向にある）スライド条を含む。説明を簡単にするために、図７において、白地の図形は水平スライド条を示しており、斜線を含む図形は垂直スライド条を示している。この例において、第１方向は水平方向、すなわち、Ｘ方向として設定される。第２外部配線９１は、第２パターン９の水平方向にあるスライド条の外部配線であり、第２外部配線９１は、基板の第２表面の第２パターン９を除く残りの領域に形成されている。本発明の実施形態において、水平方向にある全ての外部配線は、導電パターンの外部配線工程を使用することにより第２パターン９の右側面上に配置され得る。
【００２４】
図５において示された事例は、第２パターン９の基板の第１表面上への垂直投影が第１パターン８と重複するが、これは本発明の実施形態においていかなる制限を強要しないことに注目すべきである。基板の第１表面上への第２パターン９の垂直投影は、第１パターン８と全く重なり合わず、すなわち、第２パターン９の第１表面上への垂直投影が、第１表面の第１パターン８を除く残りの領域を正確に覆う事例が同様に実行可能である。
【００２５】
本発明の実施形態において提供された技術的解法は単に例示的なものであり、ガラス基板またはフィルム材料の基板が基板として使用されてもよく、ガラス基板は好ましくは、第１表面及び第２表面が階層的関係を有しておらず、且つ任意に置き換えられてもよく、第１パターン８及び第２パターン９が形状において何の制限もない導電パターンである。説明を明確にするために、本発明の実施形態は、説明のために長方形パターンを使用している。しかしながら、実際の応用において、第１表面上の第２パターンの垂直投影が第１表面の第１パターン８を除く少なくとも残りの領域を覆っている限り、第１パターン８及び第２パターン９は他の形状であってもよく、第１表面の第１パターン８を除く残りの領域は、第１パターン８の第１外部配線８１に適しており、第２表面の第２パターン９を除く残りの領域は、第２パターン９の第２外部配線９１に適している。加えて、第１パターン８及び第２パターン９が形成されるとき、延在が開始する端部は任意に置き換えられてもよく、第１パターン８及び第２パターン９は共に導電パターンであり、実施形態の例示的な図において、導電パターンを形成する図形として菱形が使用されている。しかしながら、長方形、正方形などが実際の応用において使用されてもよい。本発明の実施形態は、前述の技術的特徴においていかなる制限を強要しない。
【００２６】
第２パターン９の第１表面上の垂直投影は第１表面の第１パターン８を除く残りの領域を覆っており、それ故基板６全体が、第１表面または第２表面の全領域において少なくとも一つの導電パターンの層により完全に覆われていることを保証することができる。第１表面の第１パターン８を除く残りの領域の第２表面上で垂直投影された領域は、第２パターン９によって覆われ、及び第２表面の第２パターン９を除く残りの領域の第１表面上で垂直投影された領域は、第１パターン８によって覆われており、図８に示すように、タッチスクリーンの基板上の導電パターンの外側の領域に外部配線領域を確保することなく、二つの表面上のパターン領域を除く残りの領域においてもタッチ性能が実装され、それ故、タッチスクリーンの境界は、効果的に減少されるか、または除去さえされ得る。
【００２７】
加えて、好ましくは、第１表面上の第１パターン８により占有される部分領域、及び／または第２表面上の第２パターンにより占領される部分領域は、基板の第１側端または第２側端から延在を開始して、基板の領域の半分または三分の二であり得る。この領域範囲は、基板製造のバランス及び美観を考慮するだけでなく、第１パターン領域の領域と第２パターン領域の領域との合計が基板の全領域を完全に覆うことができ、加えて、第１パターン領域の、第２パターン領域が位置する水平面上の投影と、第２パターン領域との間の重複領域内でのタッチを位置づける正確性を増大させることができる。
【００２８】
［実施形態３］
本発明の実施形態３は、前述の実施形態において説明されたタッチスクリーンが適用される端末デバイスを提供している。すなわち、本発明はさらに端末を提供し、端末はタッチスクリーンを含み、タッチスクリーンは基板を含み、並びに基板は第１表面及び第２表面を含む。タッチスクリーンはさらに、基板の第１表面上に形成された第１パターン及び第１外部配線であって、第１パターンは基板の第１表面の部分領域を覆い、第１外部配線は第１方向に沿った第１パターンの外部配線であり、及び第１外部配線は基板の第１表面の第１パターンを除く残りの領域に形成されている、第１パターン及び第１外部配線と；基板の第２表面上に形成された第２パターン及び第２外部配線であって、第２パターンは基板の第２表面の部分領域を覆い、第２外部配線は第１方向に沿った第２パターンの外部配線であり、及び第２外部配線は基板の第２表面の第２パターンを除く残りの領域に形成されている、第２パターン及び第２外部配線と、を含む。第１表面及び第２表面は基板の二つの対向する表面に形成されており、第２パターンの第１表面上への垂直投影は第１表面の第１パターンを除く少なくとも残りの領域を覆う。
【００２９】
第１パターンは基板の第１表面上に形成され、及び第２パターンは基板の第２表面上に形成され、導電パターンの外側の領域は外側配線のために基板の各表面上に個別に確保されている。第１表面上の第１パターン及び第２表面上の第２パターンは相補補完的な関係にあり、基板の全体のタッチ検出は二つの表面上の導電パターンの連携により達成され得る。この方法において、現行の端末に存在する境界は除去され、それ故端末境界の幅を減少させる。
【００３０】
［実施形態４］
本発明の実施形態４はさらにタッチスクリーンを含む端末を提供する。タッチスクリーンは前述の実施形態において説明されたタッチスクリーンであり、基板を含む。基板は二つの対向する表面、すなわち、第１表面及び第２表面を含む。タッチスクリーンはさらに、基板の第１表面上に形成された第１パターン及び基板の第２表面上に形成された第２パターンを含み、第１パターンは基板の第１表面の部分領域を覆い、第２パターンは基板の第２表面の部分領域を覆い、第１表面及び第２表面は基板の二つの対向する表面であり、並びに第２パターンの第１表面上への垂直投影は第１基板の第１パターンを除く少なくとも残りの領域を覆う。図９に示すように、端末はさらに、
第１パターンを走査することにより第１検出座標を取得するように構成された第１走査ユニット９０１と、
第２パターンを走査することにより第２検出座標を取得するように構成された第２走査ユニット９０２と、
第１検出座標及び第２検出座標に従い検出座標を取得するように構成された合成ユニット９０３と、
を含む。
【００３１】
具体的に、応用シナリオにおいて、第１走査ユニット９０１は、第１パターン全体を走査することにより第１検出座標を取得するように構成されていてもよく、第２走査ユニット９０２は、第２パターン全体を走査することにより第２検出座標を取得するように構成されていてもよい。この場合において、第２パターンの基板の第１表面上への垂直投影は第１パターンと重なり合い、重複部分は第１検出座標及び第２検出座標に含まれており、それ故重複部分の検出座標は計算される必要がある。このシナリオにおいて、合成ユニット９０３は、
第１パターンの重複領域及び非重複領域に従って、第１検出座標を第１重複領域検出座標及び第１非重複領域検出座標に分類するように構成された第１検出座標分類ユニット９０３１であって、第１パターンの重複領域は第２パターンの第１パターン上への垂直投影と重複する領域を参照しており、第１パターンの非重複領域は第２パターンの第１パターン上への垂直投影と重複しない領域を参照している、第１検出座標分類ユニット９０３１と、
第２パターンの重複領域及び非重複領域に従って、第２検出座標を第２重複領域検出座標及び第２非重複領域検出座標に分類するように構成された第２検出座標分類ユニット９０３２であって、第２パターンの重複領域は第１パターンの第２パターン上への垂直投影と重複する領域を参照しており、第２パターンの非重複領域は第１パターンの第１パターン上への垂直投影と重複しない領域を参照している、第２検出座標分類ユニット９０３２と、
重複領域検出座標を取得するために第１重複領域検出座標及び第２重複領域検出座標で計算を実行するように構成された重複領域検出座標計算ユニット９０３３であって、計算は、様々なアルゴリズム、例えば、平均を得ること、または平均を得る前に重み付け方法で合計を得ることを用いることにより実施され、この方法において、外部因子または指タッチの間に移動のわずかな変化による影響からの干渉は効果的に避けられ得る、重複領域検出座標計算ユニット９０３３と、
検出座標を取得するために第１非重複領域検出座標、第２非重複領域検出座標、及び重複領域検出座標を合成するように構成された、第１合成サブユニット９０３４と、
を含む。
【００３２】
別の応用シナリオにおいて、第１走査ユニットは第１パターン全体を走査することにより第１検出座標を取得するように構成されてもよく、第２走査ユニットは第２パターンの相補領域を走査することにより第２検出座標を取得するように構成されており、相補領域は、第２パターン上であり、第１パターンの第２パターン上への垂直投影と重複しない領域を参照している。この場合において、合成ユニットは、第１検出座標及び第２検出座標を合成することにより検出座標を取得するように構成されている。
【００３３】
実装方法の前述の説明に基づいて、本発明は、必要なハードウェアに加えたソフトウェア、またはハードウェアだけにより実装され得ることを当業者は明らかに理解することができる。ほとんどの状況において、前者は好ましい実施形態の方法である。そのような理解に基づいて、本発明の技術的解法は本質的に、または従来技術に寄与する部分は、ソフトウェア製品の形態で実装され得る。ソフトウェア製品は、フロッピー（登録商標）ディスク、またはコンピュータのハードディスクまたは光学ディスクのような可読媒体に保存され、本発明の実施形態において説明された方法を実施するコンピュータデバイス（パーソナルコンピュータ、サーバー、ネットワークドライブなど）に指示するためのいくつかの指示を含む。
【００３４】
前述の説明は、ただ単に本発明の具体的な実装方法であり、本発明の保護範囲を制限することを目的としていない。本発明において開示された技術的範囲内で当業者によって容易に考え出される変形または置き換えは、本発明の保護範囲内にある。それ故、本発明の保護範囲は、特許請求の範囲の保護範囲にある。
【符号の説明】
【００３５】
１  パターン
２  パターン
４  カバーレンズ
５  接着剤
６  基板
７  液晶装置
８  第１パターン
９  第２パターン
１１  引き込み線
２１  引き込み線
８１  第１外部配線
９１  第２外部配線
９０１  第１走査ユニット
９０２  第２走査ユニット
９０３  合成ユニット
【図１】
0005998400.tif 000002
【図２】
0005998400.tif 000003
【図３】
0005998400.tif 000004
【図４】
0005998400.tif 000005
【図５】
0005998400.tif 000006
【図６】
0005998400.tif 000007
【図７】
0005998400.tif 000008
【図８】
0005998400.tif 000009
【図９】
0005998400.tif 000010